(57)【要約】【課題】金型の使用履歴や経時履歴を詳細に表示することで、使用回数だけでなく保管状況等も加味した管理状況を表示することのできる金型履歴表示装置及び金型プレス装置を提供すること。【解決手段】履歴表示器Ｔは、金型２０の識別情報Ｃと金型２０の使用開始情報ＢＳ１、使用終了情報ＢＥ１、メンテナンス開始情報ＢＳ２、メンテナンス終了情報ＢＥ２を有する管理情報とが相互に関連付けられた履歴データベースＢと、情報ＢＳ１、ＢＥ１、ＢＳ２、ＢＥ２を抽出する抽出手段１５ａと、使用開始情報ＢＳ１から使用終了情報ＢＥ１までの期間に対応する使用状態Ｂ１０と、メンテナンス開始情報ＢＳ２からメンテナンス終了情報ＢＥ２までの期間に対応するメンテナンス状態Ｂ２０とを識別情報Ｃと関連付け、使用状態Ｂ１０とメンテナンス状態Ｂ２０とを区別して画面表示する表示手段１５ｂとを有する。【選択図】図５
2018063668.tif 000002
【特許請求の範囲】
【請求項１】
金型を識別するために当該金型に付与された識別情報と、
当該金型の第１状態の開始時期を示す情報である第１開始情報、第１状態の終了時期を示す情報である第１終了情報、第１状態とは異なる第２状態の開始時期を示す情報である第２開始情報、第２状態の終了時期を示す情報である第２終了情報の少なくとも４つの情報を有する管理情報と、が相互に関連付けられて構築された履歴データベースと、
前記第１開始情報、前記第１終了情報、前記第２開始情報、前記第２終了情報を抽出する抽出手段と、
前記第１開始情報から前記第１終了情報までの期間に対応する第１状態と、前記第２開始情報から前記第２終了情報までの期間に対応する第２状態と、を前記識別情報と関連付けると共に前記第１状態と前記第２状態とを区別して画面表示する表示手段と、を有する金型履歴表示装置。
【請求項２】
前記管理情報に対応する全期間のうち、前記第１状態に対応する期間と前記第２状態に対応する期間とを除外した期間に対応する第３状態を、前記表示手段が、前記第１状態とも前記第２状態とも区別して前記識別情報と関連付けて画面表示する、請求項１に記載の金型履歴表示装置。
【請求項３】
前記第１状態は、前記金型を金型プレス装置に装着された状態である使用状態であり、
前記第２状態は、前記金型を前記金型プレス装置から取り外した上で前記金型に対するメンテナンスを実行中であるメンテナンス状態であり、
前記第３状態は、前記金型を前記金型プレス装置から取り外した状態であって前記メンテナンス状態でない状態である、請求項２に記載の金型履歴表示装置。
【請求項４】
前記管理情報を入力可能な入力手段、を更に有する請求項１から請求項３のうちいずれか１項に記載の金型履歴表示装置。
【請求項５】
前記金型を装着するための金型装着部と、
前記金型装着部に装着された前記金型を対象物に対して押圧するためのプレス部と、
請求項１から請求項４のうちいずれか１項に記載の金型履歴表示装置と、
を有する金型プレス装置。
【発明の詳細な説明】
【技術分野】
【０００１】
本発明は、金型履歴表示装置及び金型プレス装置に係り、特に金型の使用履歴、経時履歴を詳細に表示することのできる金型履歴表示装置等に関する。
【背景技術】
【０００２】
従来、金属や樹脂等の加工対象（対象物）に対する金型プレス装置を用いたプレス加工が行われている。プレス加工においては金型の品質が対象物の加工精度に影響する。例えば、金型の使用回数が一定数を超え、摩耗によって金型の寸法精度が低下してしまうと、対象物における加工精度も低下してしまう。そのため、金型や加工治具等の加工工具の使用回数を管理して、加工工具の性能が劣化する前に加工工具の交換やメンテナンスを行うという管理方法が行われている。
【０００３】
例えば、特許文献１では、ＮＣ切削機械においてエアカット検出を行うことで、稼働中における切削中と非切削中とを区別して切削工具の管理をすることが行われている。
【先行技術文献】
【特許文献】
【０００４】
【特許文献１】特開平１１−２８６４０号公報
【発明の概要】
【発明が解決しようとする課題】
【０００５】
しかしながら、従来の管理方法は、単に加工工具の使用回数に基づく管理を行うものに過ぎない。特許文献１に開示の管理方法も、単にエアカット検出によって稼働中における切削中と非切削中とを区別することで、切削時間に占めるエアカットの割合を知り、加工効率の向上を図るものである。
【０００６】
つまり、従来の管理方法では、加工工具の実使用回数や実使用時間が把握されるだけであり、その加工工具が使用されていない状態での経時変化や、加工工具に対してメンテナンスが行われたか否かの情報管理が充分とは言えない。金型等の加工工具では、使用しなくても経時変化により錆等が発生して性能劣化を生じる可能性があり、このような観点を含めた加工工具の管理方法の提案が望まれている。
【０００７】
本発明は、上記の事情に鑑みて成されたもので、金型等の加工工具の使用履歴や経時履歴を詳細に表示することで、使用回数だけでなく保管状況等も加味した管理状況を表示することのできる金型履歴表示装置及び金型プレス装置を提供することを例示的課題とする。
【課題を解決するための手段】
【０００８】
上記の課題を解決するために、本発明は以下の趣旨を有する。
【０００９】
［趣旨１］
金型履歴表示装置は、
金型を識別するために当該金型に付与された識別情報と、
当該金型の第１状態の開始時期を示す情報である第１開始情報、第１状態の終了時期を示す情報である第１終了情報、第１状態とは異なる第２状態の開始時期を示す情報である第２開始情報、第２状態の終了時期を示す情報である第２終了情報の少なくとも４つの情報を有する管理情報と、が相互に関連付けられて構築された履歴データベースと、
前記第１開始情報、前記第１終了情報、前記第２開始情報、前記第２終了情報を抽出する抽出手段と、
前記第１開始情報から前記第１終了情報までの期間に対応する第１状態と、前記第２開始情報から前記第２終了情報までの期間に対応する第２状態と、を前記識別情報と関連付けると共に前記第１状態と前記第２状態とを区別して画面表示する表示手段と、を有する。
【００１０】
［趣旨２］
前記管理情報に対応する全期間のうち、前記第１状態に対応する期間と前記第２状態に対応する期間とを除外した期間に対応する第３状態を、前記表示手段が、前記第１状態とも前記第２状態とも区別して前記識別情報と関連付けて画面表示してもよい。
【００１１】
［趣旨３］
前記第１状態は、前記金型を金型プレス装置に装着された状態である使用状態であり、
前記第２状態は、前記金型を前記金型プレス装置から取り外した上で前記金型に対するメンテナンスを実行中であるメンテナンス状態であり、
前記第３状態は、前記金型を前記金型プレス装置から取り外した状態であって前記メンテナンス状態でない状態であってもよい。
【００１２】
［趣旨４］
金型履歴表示装置は、前記管理情報を入力可能な入力手段、を更に有してもよい。
【００１３】
［趣旨５］
金型プレス装置は、
前記金型を装着するための金型装着部と、
前記金型装着部に装着された前記金型を対象物に対して押圧するためのプレス部と、
上記の金型履歴表示装置と、を有する。
【００１４】
本発明の更なる目的又はその他の特徴は、以下添付図面を参照して説明される好ましい実施の形態によって明らかにされるであろう。
【発明の効果】
【００１５】
金型等の加工工具の使用履歴や経時履歴を詳細に表示することで、使用回数だけでなく保管状況等も加味した管理状況を表示することができる。その結果、より信頼性の高い加工工具の履歴管理を実現することができる。
【図面の簡単な説明】
【００１６】
【図１】実施形態１に係る金型プレス装置の概略図である。
【図２】金型に識別情報が付与された状態を示す図である。
【図３】制御部の内部構造図である。
【図４】金型の履歴情報の表示画面への表示例である。
【図５】履歴表示器による履歴表示手順を説明するフローチャートである。
【図６】実施形態２に係る履歴表示器の概略図である。
【発明を実施するための形態】
【００１７】
［実施形態１］
＜金型プレス装置の説明＞
以下、本発明の実施形態について図面を用いて説明する。図１は、実施形態１に係る金型プレス装置（以下、プレス装置と略称する。）Ｓの概略図である。プレス装置Ｓは、筐体２の内外に、駆動モータ４、伝達機構６、クランク軸８、コンロッド１０、スライド１２を有して構成される。また、プレス装置Ｓは、制御部１４、表示画面１６、入力装置（入力手段）１８を有している。
【００１８】
駆動モータ４は、例えばサーボ制御されるサーボモータであり、回転量及び回転方向を制御しつつ伝達機構６、クランク軸８、コンロッド１０を介して後述する金型を上下移動させるものである。伝達機構６は、例えばギアやベルト等の伝達部材を有して構成され、駆動モータ４のモータ軸の回転をクランク軸８へと伝達するものである。駆動モータ４への制御信号は制御部１４から送られるようになっている。
【００１９】
クランク軸８及びコンロッド１０は、伝達機構６により伝達されたモータ軸の回転移動を往復移動（本実施形態１では、上下移動。）に変換するためのものである。モータ軸の回転によりクランク軸８が回転し、クランク軸８に一端近傍が連結されたコンロッド１０にその回転が伝達されてコンロッド１０が上下移動（昇降移動）するようになっている。
【００２０】
コンロッド１０の他端近傍にはスライド１２が連結されている。コンロッド１０の上下移動に伴いスライド１２がガイド（不図示）に沿って上下移動するようになっている。スライド１２は、ボルスタ２２と対面している。プレス装置Ｓにおいては、スライド１２と対向するようにボルスタ２２が配置されている。スライド１２のボルスタ２２と対向する側の面（本実施形態１では下面。）には金型装着部１２ａが配置され、この金型装着部１２ａに金型２０の一部としての上型２０ａが装着される。ボルスタ２２のスライド１２と対向する側の面（本実施形態１では上面。）には金型装着部２２ａが配置され、この金型装着部２２ａには金型２０の一部としての下型２０ｂが装着される。
【００２１】
上型２０ａ若しくは下型２０ｂ又はその両方に、金型を識別するための識別情報Ｃが付されている。図２は、金型２０に識別情報Ｃが付された状態を示す図である。図２では、下型２０ｂの側面に識別情報Ｃとしての２次元バーコード情報が付されている。この識別情報Ｃを後述する入力装置１８から入力することで、現在プレス装置Ｓに装着されている金型２０の種類や個体を識別することができる。
【００２２】
入力装置１８から入力された金型２０の識別情報Ｃは、制御部１４へと送られる。なお、プレス装置Ｓが識別情報Ｃを読み取るための識別情報センサ（不図示）を有し、かつ、金型２０の金型装着部１２ａ、２２ａへの装着を検出する装着センサ（不図示）を有していてもよい。それにより、入力装置１８から識別情報Ｃを入力する必要なく、金型２０を金型装着部１２ａ、２２ａへ装着するだけで、金型２０の識別情報Ｃが自動的に読み取られ、制御部１４へと送られるようにプレス装置Ｓを構成することができる。ここで、例えば識別情報Ｃが１次元又は２次元バーコード、ＩＣタグ、磁気情報、複数の凹凸形状の物理ビット情報であってもよく、識別情報センサは、各々に対応した１次元又は２次元バーコードリーダ、ＩＣタグリーダ、磁気ヘッド、物理ビットを検出可能なフォトトランジスタ等の光学センサ、物理ビットの凹凸へのマイクロスイッチの接触により検出するセンサや絶縁体によるビットマスクへの電極の接触により検出するセンサなどであってもよい。
【００２３】
この上型２０ａと下型２０ｂとの間に加工対象としてのワーク（対象物）Ｗを配置し、上型２０ａと下型２０ｂとで押圧することにより、プレス装置ＳによるワークＷに対するプレス加工が行われる。詳しくは、制御部１４により制御されて駆動モータ４が回転する。駆動モータ４の回転が伝達機構６、クランク軸８を介してコンロッド１０へと伝達され、スライド１２が上下移動する。スライド１２の下方移動によって上型２０ａと下型２０ｂとが押圧され、ワークＷのプレス加工が行われる。すなわち、プレス装置Ｓにおいて、駆動モータ４、伝達機構６、クランク軸８、コンロッド１０、スライド１２がプレス部を構成する。
【００２４】
表示画面１６は、プレス装置Ｓの動作状況や設定パラメータ等の表示を行うためのものである。表示画面１６は、例えば、液晶モニタ、ＬＥＤ表示装置、ＣＲＴ等により構成される。入力装置１８は、プレス装置Ｓの動作指令（例えば、オン、オフ等。）や設定パラメータの入力等を行うためのものである。入力装置１８は、例えば、キーボード、ボタン、スイッチ、タッチパネル等により構成される。表示画面１６及び入力装置１８は、いずれも制御部１４に接続されている。入力装置１８から入力された情報は制御部１４へと送られ、制御部１４から送られた表示情報に基づき表示画面１６が情報表示を行う。
【００２５】
制御部１４は、図３に示すように、内部に演算処理装置としてのＣＰＵ１４ａ、記憶装置としてのメモリ１４ｂを有している。ＣＰＵ１４ａは、駆動モータ４、表示画面１６、入力装置１８と接続されている。プレス装置Ｓが識別情報センサ及び／又は装着センサを有する場合は、ＣＰＵ１４ａは識別情報センサ及び／又は装着センサとも接続される。
【００２６】
＜金型履歴表示装置＞
本実施形態１では、プレス装置Ｓが金型履歴表示装置（以下、履歴表示器という。）Ｔとしても機能する。履歴表示器Ｔは、金型２０の使用履歴、保管履歴、メンテナンス履歴等の履歴情報（経時情報）を表示するためのものである。履歴表示器Ｔにより金型２０の履歴情報を表示することにより、プレス装置Ｓの利用者は金型２０の使用回数や使用時間のみならず、金型２０の保管期間やメンテナンス期間等を把握することができる。金型２０の保管による経時的影響や、メンテナンス実施による影響等を把握することができ、一層信頼性の高い金型２０の状態管理を行うことができる。
【００２７】
履歴表示器Ｔは、履歴データベースＢ、抽出手段１５ａ、表示手段１５ｂを有して構成される。履歴データベースＢは、メモリ１４ｂ内に格納されたデータベースである。抽出手段１５ａ及び表示手段１５ｂは、メモリ１４ｂ内に格納された履歴表示プログラムＰの動作に基づき、ＣＰＵ１４ａが発揮する機能であり、実質的にはＣＰＵ１４ａが抽出手段１５ａ及び表示手段１５ｂである。本実施形態１では、更に表示画面１６及び入力装置１８も履歴表示器Ｔの一部を構成する。履歴データベースＢのデータ構造の例を、以下の表１に示す。
【００２８】
【表１】
2018063668.tif 000003
【００２９】
入力装置１８から識別情報Ｃが入力されると（又はプレス装置Ｓが識別情報センサを有する場合において識別情報センサにより識別情報Ｃが読み取られると）、履歴データベースＢ内に識別情報Ｃが格納される。識別情報Ｃに関連する管理情報が入力装置１８から入力されると、それらの管理情報が識別情報Ｃに関連付けられて履歴データベースＢ内に格納される。
【００３０】
例えば、特定の金型２０の使用開始時期（第１状態の開始時期）を示す情報である使用開始情報（第１開始情報）ＢＳ１及び使用終了時期（第１状態の終了時期）を示す情報である使用終了情報（第１終了情報）ＢＥ１が入力装置１８から入力されると、その金型２０の識別情報Ｃに関連付けられて、使用開始情報（第１開始情報）ＢＳ１と使用終了情報（第１終了情報）ＢＥ１とが履歴データベースＢ内に格納される。ここで、使用開始情報ＢＳ１から使用終了情報ＢＥ１までの期間が使用期間（第１状態に対応する期間）Ｂ１であり、使用期間Ｂ１に対応する状態が使用状態（第１状態）Ｂ１０（図４参照）である。
【００３１】
プレス装置Ｓが装着センサを有する場合は、装着センサにより特定の金型２０のプレス装置Ｓへの装着が検出された時期を示す情報を使用開始情報ＢＳ１とし、特定の金型２０のプレス装置Ｓからの取り外しが検出された時期を示す情報を使用終了情報ＢＥ１として、自動的に履歴データベースＢに格納するものであってもよい。この場合、使用開始情報ＢＳ１や使用終了情報ＢＥ１を入力装置１８から入力する必要がない。
【００３２】
特定の金型２０のメンテナンス開始時期（第２状態の開始時期）を示す情報であるメンテナンス開始情報（第２開始情報）ＢＳ２及びメンテナンス終了時期（第２状態の終了時期）を示す情報であるメンテナンス終了情報（第２終了情報）ＢＥ２が入力装置１８から入力されると、その金型２０の識別情報Ｃに関連付けられて、メンテナンス開始情報ＢＳ２とメンテナンス終了情報ＢＥ２とが履歴データベースＢ内に格納される。ここで、メンテナンス開始情報ＢＳ２からメンテナンス終了情報ＢＥ２までの期間がメンテナンス期間（第２状態に対応する期間）Ｂ２であり、メンテナンス期間Ｂ２に対応する状態がメンテナンス状態（第２状態）Ｂ２０である。メンテナンス状態Ｂ２０とは、特定の金型２０に対する修繕や改良等のメンテナンス作業を行っている状態であり、メンテナンス期間Ｂ２とは、メンテナンス状態が継続している期間である。
【００３３】
なお、特定の金型２０における使用期間Ｂ１とメンテナンス期間Ｂ２とを除いた残りの期間は制御部１４によって保管期間（第３状態に対応する期間）Ｂ３として把握される。この場合、第３状態は保管状態である。このように、履歴データベースＢには、特定の金型２０の識別情報Ｃに関連付けられて、各種の管理情報が格納される。
【００３４】
履歴表示プログラムＰが実行されると、抽出手段１５ａとして機能するＣＰＵ１４ａは、履歴データベースＢ内から、特定の金型２０の識別情報Ｃに関連付けられた使用開始情報ＢＳ１、使用終了情報ＢＥ１、メンテナンス開始情報ＢＳ２、メンテナンス終了情報ＢＥ２を抽出する。
【００３５】
履歴表示プログラムＰが実行されると、表示手段１５ｂとして機能するＣＰＵ１４ａは、抽出手段１５ａにより抽出された使用開始情報ＢＳ１と使用終了情報ＢＥ１とに基づき、その間の期間に対応する状態を使用状態Ｂ１０として識別情報Ｃに関連付けて表示画面１６に表示する。その表示例を図４に示す。図４では、識別情報Ｃに対応する金型２０の履歴情報として、使用状態Ｂ１０が横軸を時間軸とする横棒グラフとして表示されている。
【００３６】
表示手段１５ｂとして機能するＣＰＵ１４ａは、抽出手段１５ａにより抽出されたメンテナンス開始情報ＢＳ２とメンテナンス終了情報ＢＥ２とに基づき、その間の期間に対応する状態をメンテナンス状態Ｂ２０として識別情報Ｃに関連付けて表示画面１６に表示する。図４では、識別情報Ｃに対応する金型２０の履歴情報として、メンテナンス状態Ｂ２０が横軸を時間軸とする横棒グラフとして表示されている。
【００３７】
このとき、使用状態Ｂ１０とメンテナンス状態Ｂ２０とは図４に示すように区別して画面表示される。一見して識別情報Ｃに対応する金型２０の使用履歴とメンテナンス履歴とを区別して把握することができる。
【００３８】
表示手段１５ｂとして機能するＣＰＵ１４ａは、使用状態Ｂ１０に対応する使用期間Ｂ１とメンテナンス状態Ｂ２０に対応するメンテナンス期間Ｂ２以外の残りの期間（保管期間Ｂ３）に対応するように保管状態Ｂ３０を識別情報Ｃに関連付けて表示画面１６に表示する。これにより、識別情報Ｃに対応する金型の履歴情報は、使用状態Ｂ１０、メンテナンス状態Ｂ２０、保管状態Ｂ３０のいずれかに分類されて画面表示されることとなる。
【００３９】
＜金型履歴情報表示手順＞
次に、履歴表示器Ｔによる金型２０の履歴表示手順について、図５のフローチャートを用いて説明する。なお、履歴表示プログラムＰは既に起動済みであるものとする。また、金型２０に対応する識別情報Ｃの入力、識別情報Ｃに対応する使用開始情報ＢＳ１、使用終了情報ＢＥ１、メンテナンス開始情報ＢＳ２、メンテナンス終了情報ＢＥ２については、既にプレス装置Ｓに入力済であり、履歴データベースＢ内に格納済であるものとする。
【００４０】
履歴表示プログラムＰの実行に基づき、抽出手段１５ａが履歴データベースＢから識別情報Ｃに関連付けられた使用開始情報ＢＳ１、使用終了情報ＢＥ１を抽出する（Ｓ１）。また、抽出手段１５ａが履歴データベースＢから、メンテナンス開始情報ＢＳ２、メンテナンス終了情報ＢＥ２を抽出する（Ｓ２）。抽出手段１５ａは、使用開始情報ＢＳ１、使用終了情報ＢＥ１、メンテナンス開始情報ＢＳ２、メンテナンス終了情報ＢＥ２を時系列順にソートする。（Ｓ３）。
【００４１】
履歴表示プログラムＰの実行に基づき、表示手段１５ｂが識別情報Ｃの履歴情報を表示画面１６に表示する。具体的な手順としては、表示手段１５ｂは、ソート後の上記各管理情報ＢＳ１、ＢＥ１、ＢＳ２、ＢＥ２を、時系列的に時期の早い情報から順に内容取得する（Ｓ４）。
【００４２】
管理情報の内容を取得できた場合において（Ｓ５）、取得した情報が使用開始情報ＢＳ１である場合は（Ｓ６）、使用開始情報ＢＳ１に対応する時期以降を使用状態Ｂ１０として表示する（Ｓ７）。取得した情報が使用終了情報ＢＥ１である場合は（Ｓ８）、使用終了情報ＢＥ１に対応する時期までで使用状態Ｂ１０の表示を終了する（Ｓ９）。取得した情報がメンテナンス開始情報ＢＳ２である場合は（Ｓ１０）、メンテナンス開始情報ＢＳ２に対応する時期以降をメンテナンス状態Ｂ２０として表示する（Ｓ１１）。取得した情報がメンテナンス終了情報ＢＥ２である場合は（Ｓ１２）、メンテナンス終了情報ＢＥ２に対応する時期まででメンテナンス状態Ｂ２０の表示を終了する（Ｓ１３）。
【００４３】
上記の手順を繰り返すことにより、識別情報Ｃに対応する履歴情報に、使用状態Ｂ１０とメンテナンス状態Ｂ２０とを表示する。内容取得できる情報がない場合（Ｓ４）、識別情報Ｃに対応する管理情報の全期間のうち、使用状態Ｂ１０にもメンテナンス状態Ｂ２０にも対応しない期間を保管期間Ｂ３として表示する（Ｓ１４）。
【００４４】
［実施形態２］
上記実施形態１では、プレス装置Ｓが履歴表示器Ｔを有する例について説明したが、本発明の趣旨はこれに限られない。実施形態２は、履歴表示器Ｔの一部又は全部がプレス装置Ｓとは別体として構成された例について説明する。図６は、実施形態２に係る履歴表示器Ｔの概略図である。実施形態２では、プレス装置Ｓに対し、コンピュータＤが接続されている。コンピュータＤは、内部にＣＰＵ１４ａとメモリ１４ｂとを有してプレス装置Ｓの制御部１４と信号送受信可能に接続されている。コンピュータＤは、ノート型パソコンであっても、デスクトップ型パソコンであってもよいし、タブレット型端末であってもスマートフォンであってもよい。
【００４５】
実施形態２では、履歴データベースＢ及び履歴表示プログラムＰがコンピュータＤ内のメモリ１４ｂに格納されており、この履歴表示プログラムＰの実行に基づき、コンピュータＤ内のＣＰＵ１４ａが抽出手段１５ａ及び表示手段１５ｂとして機能する。コンピュータＤは、入力装置１８としてのキーボードと表示画面１６としての液晶モニタを有しており、識別情報Ｃや管理情報ＢＳ１、ＢＥ１、ＢＳ２、ＢＥ２がキーボードから入力可能であり、識別情報Ｃに対応する履歴情報（使用状態Ｂ１０、メンテナンス状態Ｂ２０、保管状態Ｂ３０等）が液晶モニタに画面表示可能である。
【００４６】
以上、本発明の好ましい実施の形態１を説明したが、本発明はこれらに限定されるものではなく、その要旨の範囲内で様々な変形や変更が可能である。例えば、履歴表示器Ｔを構成する履歴データベースＢ、抽出手段１５ａ、表示手段１５ｂ、表示画面１６、入力装置１８の一部がプレス装置Ｓ側に備えられ、他部がコンピュータＤ側に備えられていてもよい。また、表示画面１６に表示された金型２０の履歴情報を部分拡大して表示する機能を表示手段１５ｂが発揮してもよい。例えば、横軸を部分的に拡大して、金型２０の履歴情報に対応する期間のうちの一部の期間のみを拡大表示できるものであってもよい。また、例えば、使用状態Ｂ１０の部分のみを表示したり、メンテナンス状態Ｂ２０の部分のみを表示したりすることができるように構成されていてもよい。
【符号の説明】
【００４７】
Ｂ：履歴データベース
ＢＳ１：使用開始情報（第１開始情報）
ＢＥ１：使用終了情報（第１終了情報）
Ｂ１：使用期間（第１状態に対応する期間）
Ｂ１０：使用状態
ＢＳ２：メンテナンス開始情報（第２開始情報）
ＢＥ２：メンテナンス終了情報（第２終了情報）
Ｂ２：メンテナンス期間（第２状態に対応する期間）
Ｂ２０：メンテナンス状態
Ｂ３：保管期間（第３状態に対応する期間）
Ｂ３０：保管状態
Ｃ：識別情報
Ｐ：履歴表示プログラム
Ｓ：プレス装置（金型プレス装置）
Ｔ：履歴表示器（金型履歴表示装置）
Ｗ：ワーク（対象物）
２：筐体
４：駆動モータ
６：伝達機構
８：クランク軸
１０：コンロッド
１２：スライド
１２ａ、２２ａ：金型装着部
１４：制御部
１４ａ：ＣＰＵ（演算処理装置）
１４ｂ：メモリ（記憶装置）
１５ａ：抽出手段
１５ｂ：表示手段
１６：表示画面
１８：入力装置（入力手段）
２０：金型
２０ａ：上型
２０ｂ：下型
２２：ボルスタ
【図１】
2018063668.tif 000004
【図２】
2018063668.tif 000005
【図３】
2018063668.tif 000006
【図４】
2018063668.tif 000007
【図５】
2018063668.tif 000008
【図６】
2018063668.tif 000009